(57)【要約】      （修正有）【課題】基礎への固定作業を容易に行える操作盤用取付台を提供する。【解決手段】インターホン機能を有する操作盤３を取り付けるための操作盤用取付台であって、建物に備える開閉扉の周辺の基礎１に固定されるベース部材２と、操作盤が取り付けられ、ベース部材に連結される本体４と、を備え、本体の下端部は、基礎に固定されたベース部材に外嵌可能な筒状部４１を備えている。【選択図】図８
0003224365.tif 000002
【実用新案登録請求の範囲】
【請求項１】
インターホン機能及び扉の開閉操作機能のうちの少なくとも一方の機能を有する操作盤を取り付けるための操作盤用取付台であって、
前記扉の周辺の基礎に固定されるベース部材と、前記操作盤が取り付けられ、前記ベース部材に連結される本体と、を備えていることを特徴とする操作盤用取付台。
【請求項２】
前記本体の下端部は、前記基礎に固定された前記ベース部材に外嵌可能な筒状部を備えていることを特徴とする請求項１に記載の操作盤用取付台。
【請求項３】
前記ベース部材は、上下が開放された筒状部と、前記筒状部の下端側開口の少なくとも一部を閉じる底部と、を備え、前記底部は、アンカーボルトを挿入可能な貫通孔を備えていることを特徴とする請求項１又は２に記載の操作盤用取付台。
【請求項４】
前記筒状部の外周部には、前記貫通孔に挿入したアンカーボルトにアクセス可能な開口が形成されていることを特徴とする請求項３に記載の操作盤用取付台。
【請求項５】
前記本体の内部には、該本体の内面に当接して該本体の補強を行う枠状の補強部材が配置されていることを特徴とする請求項１〜４のうちのいずれか１項に記載の操作盤用取付台。
【考案の詳細な説明】
【技術分野】
【０００１】
本考案は、インターホン機能を有する操作盤が取り付けられる操作盤用取付台に関する。
【背景技術】
【０００２】
上記操作盤用取付台としては、インターホンが前面に取り付けられる門柱が既に提案されている。この門柱は、角部に配置される４本の支柱を２つの連結部材により対角線上に連結し、周方向で隣り合う支柱間に板状の縦長のパネルを取り付け、前側に位置するパネルにインターホンが取り付けられて構成されている。このように構成された門柱の下端部をコンクリートでなる基礎に固定することが行われている（例えば、特許文献１参照）。
【０００３】
上記門柱を構成する全ての部材が金属製であるため、門柱の重量が非常に重いものになっている。そのため、門柱をハンドリングしながら門柱の下端部を基礎に固定する作業が労力のかかる煩わしい作業になり、早期改善が要望されている。
【先行技術文献】
【特許文献】
【０００４】
【特許文献１】特開平１０−１９６２５６号公報
【考案の概要】
【考案が解決しようとする課題】
【０００５】
そこで、本考案は、かかる事情に鑑みてなされたもので、基礎への固定作業を容易に行える操作盤用取付台を提供することを課題とする。
【課題を解決するための手段】
【０００６】
本考案に係る操作盤用取付台は、インターホン機能及び扉の開閉操作機能のうちの少なくとも一方の機能を有する操作盤を取り付けるための操作盤用取付台であって、前記扉の周辺の基礎に固定されるベース部材と、前記操作盤が取り付けられ、前記ベース部材に連結される本体と、を備えていることを特徴としている。
【０００７】
本考案によれば、操作盤用取付台を、基礎に固定されるベース部材と、ベース部材に連結される本体と、に分けることによって、一体化した構成に比べて、個々の重量を軽くすることができ、ベース部材及び本体のハンドリングを容易に行うことができる。よって、ベース部材を基礎に容易に固定することができる。固定されたベース部材に本体を連結するだけで、操作盤用取付台を設置することができる。
【０００８】
また、本考案に係る操作盤用取付台は、前記本体の下端部が、前記基礎に固定された前記ベース部材に外嵌可能な筒状部を備えていてもよい。
【０００９】
上記構成によれば、本体の下端部をベース部材に外嵌するだけで、本体をベース部材に容易に連結することができる。
【００１０】
また、本考案に係る操作盤用取付台は、前記ベース部材は、上下が開放された筒状部と、前記筒状部の下端側開口の少なくとも一部を閉じる底部と、を備え、前記底部は、アンカーボルトを挿入可能な貫通孔を備えていてもよい。
【００１１】
上記構成によれば、底部に備える貫通孔にアンカーボルトを挿入してベース部材を基礎に固定することによって、ベース部材の筒状部の外周縁よりも外側に張り出した張出部にアンカーボルトを挿入可能な貫通孔を備えた構成（アンカーボルトで固定する部分が外側に設けられている構成）に比べて、操作盤用取付台の小型化を図ることができる。
【００１２】
また、本考案に係る操作盤用取付台は、前記筒状部の外周部に、前記貫通孔に挿入したアンカーボルトにアクセス可能な開口が形成されていてもよい。
【００１３】
上記構成によれば、筒状部の外周部に形成された開口を通して、貫通孔に挿入したアンカーボルトに容易にアクセスすることができる。
【００１４】
また、本考案に係る操作盤用取付台は、前記本体の内部に、該本体の内面に当接して該本体の補強を行う枠状の補強部材が配置されていてもよい。
【００１５】
上記のように、本体の内部に、本体の内面に当接して本体の補強を行う枠状の補強部材が配置されることによって、重量の増大を抑制しながら本体の補強を確実に行うことができる。
【考案の効果】
【００１６】
以上の如く、基礎に固定されるベース部材とベース部材に連結される本体とを備えることによって、基礎への固定作業を容易に行える操作盤用取付台を提供することができる。
【図面の簡単な説明】
【００１７】
【図１】本考案の操作盤用取付台を構成するベース部材を基礎に固定した正面図である。
【図２】図１におけるＩＩ−ＩＩ線断面図である。
【図３】図１におけるＩＩＩ−ＩＩＩ線断面図である。
【図４】本考案の操作盤用取付台を構成する本体の上端部を上から見た平面図である。
【図５】同本体の正面図である。
【図６】同本体の側面図である。
【図７】同本体の背面図である。
【図８】本考案の操作盤用取付台の正面図である。
【図９】同操作盤用取付台の下端部の一部を断面にした側面図である。
【考案を実施するための形態】
【００１８】
以下、本考案に係る操作盤用取付台について、図面に基づいて説明する。なお、以下において、図８において操作盤３が取り付けられる側を前側とし、操作盤３が取り付けられる側とは反対側を後側とし、操作盤３が取り付けられる前側に対して左側を左側とし、操作盤３が取り付けられる前側に対して右側を右側として説明する。この操作盤用取付台は、図８に示すように、建物に備える開閉可能な扉（図示せず）の周辺の基礎１に固定されるベース部材２（図１〜図３参照）と、インターホン機能を有する操作盤３が取り付けられ、ベース部材２に連結される本体４（図５〜図７）と、を備えている。ベース部材２及び本体４を構成する全ての部材が金属材料（例えばステンレス）で構成されているが、金属材料と略同等の強度を有する他の材料であってもよい。
【００１９】
ベース部材２は、図１〜図３に示すように、上下が開放された筒状部５と、筒状部５の下端側開口を閉じる底部６と、を備えている。筒状部５は、平面視略台形状に構成され、前側に位置する縦長状の前板部５Ａと、後側に位置し、前板部５Ａよりも少し左右幅の小さな後板部５Ｂと、前板部５Ａの左側端と後板部５Ｂの左側端とを斜めに連結する左板部５Ｃと、前板部５Ａの右側端と後板部５Ｂの右側端とを斜めに連結する右板部５Ｄと、を備えている。底部６は、平面視略台形状の平板からなり、底部６が筒状部５の内側に入り込むように底部６の外形寸法を設定している。したがって、底部６が筒状部５の外面よりも外側に出っ張ることがない。また、筒状部５の前板部５Ａの外周部でかつ左右両端部のそれぞれに、後述する第１貫通孔６Ｂに挿入したアンカーボルト７をアクセス可能な縦長状の前側開口５ａが形成されている。また、筒状部５の後板部５Ｂの外周部でかつ左右両端部のそれぞれに、後述する第１貫通孔６Ｂに挿入したアンカーボルト７をアクセス可能な縦長状の後側開口５ｂが形成されている。前側開口５ａと後側開口５ｂとは、左右方向で同一箇所に同一の大きさで形成されている。前側開口５ａ及び後側開口５ｂの上下方向の大きさを、後述するアンカーボルト７の全長よりも大きく設定し、かつ、前側開口５ａ及び後側開口５ｂの左右方向の大きさを、ベース部材２の内部に少なくとも片手が容易に入ることができる大きさに設定することが好ましい。
【００２０】
また、底部６は、図３に示すように、操作盤３の背面に接続される多数の電線類を他の場所へ移動させるための電線挿通孔６Ａと、アンカーボルト７を挿入可能な４つの第１貫通孔６Ｂと、不陸調整用ボルト８を挿入可能な４つの第２貫通孔６Ｃと、を備えている。電線挿通孔６Ａは、底部６の左右方向中央部でかつ前後方向中央部に形成されている。第１貫通孔６Ｂは、長孔から構成され、左右方向中央部に対して左側端部及び右側端部にそれぞれ２つずつ形成されている。左側端部に位置する２つの第１貫通孔６Ｂは、前後に形成され、前側の第１貫通孔６Ｂは、前側ほど左右方向中央部に位置する傾斜姿勢に構成されている。また、後側の第１貫通孔６Ｂは、後側ほど左右方向中央部に位置する傾斜姿勢に構成されている。右側端部に位置する２つの第１貫通孔６Ｂは、前後に形成され、前側の第１貫通孔６Ｂは、前側ほど左右方向中央部に位置する傾斜姿勢に構成されている。また、後側の第１貫通孔６Ｂは、後側ほど左右方向中央部に位置する傾斜姿勢に構成されている。第２貫通孔６Ｃは、円形状に構成されている。２つの第２貫通孔６Ｃが、左側の第１貫通孔６Ｂよりも左右方向左端部側に配置され、前後方向に所定間隔を置いて形成されている。また、残り２つの第２貫通孔６Ｃが、右側の第１貫通孔６Ｂよりも左右方向右端部側に配置され、前後方向に所定間隔を置いて形成されている。
【００２１】
コンクリートでなる基礎１の上面のうち、ベース部材２が設置される箇所を除く部分に床材９が取り付けられる（図１及び図２参照）。そして、床材９が取り付けられていない部分に、ベース部材２を載置し、ベース部材２の４つの第１貫通孔６Ｂを介してアンカーボルト７を基礎１に打ち込むことでベース部材２を基礎１に固定することができる。このとき、アンカーボルト７を前側開口５ａ又は後側開口５ｂを通して第１貫通孔６Ｂにアクセスすることによって、アンカーボルト７を第１貫通孔６Ｂに容易迅速に挿入することができる。床材としては、タイルカーペット、ビニルタイル等が挙げられる。
【００２２】
続いて、基礎１の上面の凹凸の状況により固定されたベース部材２の水平が維持できない場合には、不陸調整用ボルト８を第２貫通孔６Ｃを通して基礎１に打ち込んで前記凹凸を吸収することでベース部材２を基礎１に対して水平に設置することができるようにしている。この不陸調整用ボルト８の場合も、前側開口５ａ又は後側開口５ｂを通して第２貫通孔６Ｃにアクセスすることによって、不陸調整用ボルト８を第２貫通孔６Ｃに容易迅速に挿入することができる。
【００２３】
本体４は、図４〜図７に示すように、下端が開放された内部中空の箱型形状に構成され、上下方向中間部で斜めに折れ曲がった側面視においてへの字状に構成されている。なお、図４は、本体４の上端部を上から見た図である。具体的には、本体４は、正面視において縦長で長方形状の前板部１０、前板部１０よりも左右幅が狭く上下方向の長さも少し短い正面視において縦長で長方形状の後板部１１、前板部１０の左端と後板部１１の左端とを連結する左板部１２、前板部１０の右端と後板部１１の右端とを連結する右板部１３、前板部１０の上端と後板部１１の上端と左板部１２の上端と右板部１３の上端とで形成される開口を閉じる台形状の天板部１４を備えている。前板部１０は、下端から上方に延びる垂直板部１０Ａと、垂直板部１０Ａの上端から後方へ折り曲げられて形成された傾斜板部１０Ｂと、を備えている。傾斜板部１０Ｂには、操作盤３の背面から突出するコード類を本体４内に挿入するための開口１０Ｃが形成されている。後板部１１も同様に、下端から上方に延びる垂直板部１１Ａと、垂直板部１１Ａの上端から後方へ折り曲げられて形成された傾斜板部１１Ｂと、を備えている。右板部１３は、下端から上方に延びる垂直板部１３Ａと、垂直板部１３Ａの上端から斜め後方へ向かって延びる傾斜板部１３Ｂと、を備えている。左板部１２も、右板部１３と同様に、下端から上方に延びる垂直板部１２Ａと、垂直板部１２Ａの上端から斜め後方へ向かって延びる傾斜板部１２Ｂと、を備えている。また、本体４の下端部は、基礎１に固定されたベース部材２に外嵌可能な筒状部４１を備えている。この筒状部４１は、平面視においてベース部材２よりも一回り大きな台形状に構成されている。
【００２４】
また、本体４の内部には、本体４の内面に当接して本体４の補強を行う枠状の補強部材１５を配置している。補強部材１５は、図４（ｂ）及び図６においてＵの字状で断面形状角型の枠部材１６と、枠部材１６の左右の上端同士を左右方向で連結する断面形状角型の第１連結部材１７と、枠部材１６の左右の下側同士を左右方向で連結する断面形状角型の第２連結部材１８と、を備えている。枠部材１６は、左側に位置する左側部１６Ａと、右側に位置する右側部１６Ｂと、左側部１６Ａの下端部と右側部１６Ｂの下端部とを左右方向で連結する底部１６Ｃと、を備えている。左側部１６Ａは、下端から上方へ延びる垂直部１６ａと、垂直部１６ａの上端から斜め後方に延びる傾斜部１６ｂと、を備えている。右側部１６Ｂも、左側部１６Ａと同様に、下端から上方へ延びる垂直部１６ｃと、垂直部１６ｃの上端から斜め後方に延びる傾斜部１６ｄと、を備えている。
【００２５】
前記補強部材１５を組み立ててから、本体４の内部に位置するように本体４を構成する前板部１０、後板部１１、左板部１２、右板部１３、天板部１４を組み立てることによって、本体４の内部に補強部材１５を配置できるようにしている。
【００２６】
操作盤用取付台の設置方法について説明する。まず、ベース部材２を床材９が敷かれていない設置位置に置く。４本のアンカーボルト７を、ラチェット等の工具を用いて基礎１に打ち込んでベース部材２を基礎１に固定する。固定した後、ベース部材２が水平に設置されているか否かを水平器等を用いて確認し、水平でない場合には、不陸調整用ボルト８を基礎１に打ち込み、水平になるように不陸調整用ボルト８の打ち込み量を調整する。調整終了後は、本体４を持って本体４の下端部をベース部材２に上方から外嵌させる。外嵌した状態では、本体４の下端が床材９上に載置された状態になる。その外嵌終了後は、ベース部材２の左板部５Ｃ及び右板部５Ｄのそれぞれに形成されている上下一対の貫通孔５Ｋと本体４の左板部１２及び右板部１３の下端部のそれぞれに形成されている上下一対の貫通孔４Ｋとに亘ってピアスビス（図示せず）をねじ込んでベース部材２に本体４を固定する。
【００２７】
前記固定が完了すると、本体４の上端部にインターホン機能を有する操作盤３を化粧カバー１９を介して左右２箇所ずつの合計４か所をピアスビス（図示せず）で固定する（図８及び図９参照）。操作盤３には、来訪者の音声を拾うためのマイク部２０、居住者からの音声を出力するスピーカー部２１、来訪者を撮像するカメラ部２２、来訪者が居住者を呼び出す際や居住者がロックを解除するための暗証番号を入力する際に操作するテンキー２３、テンキー２３を押して部屋番号を入力した後に押して居住者を呼び出す又はテンキーを押して暗証番号を入力した後に押してロックを解除させるボタン２４、等を備えている。
【００２８】
尚、本考案に係る操作盤用取付台は、上記実施形態に限定されるものではなく、本考案の要旨を逸脱しない範囲で種々の変更が可能である。
【００２９】
前記実施形態では、本体４の上端部が上端に向かうほど後方に位置する傾斜部を備えていたが、下端から上端まで上方へ真っ直ぐ延びる構成であってもよい。
【００３０】
また、前記実施形態では、集合住宅の玄関に設置される操作盤用取付台を例示したが、一戸建ての玄関や、工場やオフィスの玄関に設置される操作盤用取付台であってもよい。
【００３１】
また、前記実施形態では、居住者を呼び出すインターホン機能及びオートロックを解除して扉を開放する扉の開閉操作機能を有する操作盤用取付台を例示したが、インターホン機能を有する操作盤用取付台やオートロックを解除して扉を開放する扉の開閉操作機能を有する操作盤用取付台であってもよい。
【００３２】
また、前記実施形態では、本体４の内部に補強部材１５を配置したが、本体４の肉厚を厚くすることによって、補強部材１５を省略してもよい。
【００３３】
また、前記実施形態では、ベース部材２に本体４の下端部を外嵌してからビス固定したが、ベース部材２に本体４の下端部を外嵌することにより両者が係止固定される係止解除可能な係止機構を備えて実施することもできる。
【００３４】
また、前記実施形態では、ベース部材２が、筒状部５の下端側開口の全部を閉じる底部６を備えていたが、筒状部５の下端側開口の少なくとも一部を閉じる底部であってもよい。
【符号の説明】
【００３５】
１…基礎、２…ベース部材、３…操作盤、４…本体、４Ｋ…貫通孔、５…筒状部、５Ａ…前板部、５Ｂ…後板部、５Ｃ…左板部、５Ｄ…右板部、５Ｋ…貫通孔、５ａ…前側開口、５ｂ…後側開口、６…底部、６Ａ…電線挿通孔、６Ｂ…第１貫通孔、６Ｃ…第２貫通孔、７…アンカーボルト、８…不陸調整用ボルト、９…床材、１０…前板部、１０Ａ…垂直板部、１０Ｂ…傾斜板部、１０Ｃ…開口、１１…後板部、１１Ａ…垂直板部、１１Ｂ…傾斜板部、１２…左板部、１２Ａ…垂直板部、１２Ｂ…傾斜板部、１３…右板部、１３Ａ…垂直板部、１３Ｂ…傾斜板部、１４…天板部、１５…補強部材、１６…枠部材、１６Ａ…左側部、１６Ｂ…右側部、１６Ｃ…底部、１６ａ…垂直部、１６ｂ…傾斜部、１６ｃ…垂直部、１６ｄ…傾斜部、１９…化粧カバー、２０…マイク部、２１…スピーカー部、２２…カメラ部、２３…テンキー、２４…ボタン、４１…筒状部
【図１】
0003224365.tif 000003
【図２】
0003224365.tif 000004
【図３】
0003224365.tif 000005
【図４】
0003224365.tif 000006
【図５】
0003224365.tif 000007
【図６】
0003224365.tif 000008
【図７】
0003224365.tif 000009
【図８】
0003224365.tif 000010
【図９】
0003224365.tif 000011